【手続補正書】
【提出日】平成15年9月22日(2003.9.22)
【手続補正１】
【補正対象書類名】明細書
【補正対象項目名】発明の名称
【補正方法】変更
【補正の内容】
【発明の名称】直交周波数分割多重変調信号受信装置
【手続補正２】
【補正対象書類名】明細書
【補正対象項目名】特許請求の範囲
【補正方法】変更
【補正の内容】
【特許請求の範囲】
【請求項１】
互いに等しい周波数ｆs、或いは周波数ｆs の整数倍の周波数の間隔を有し、且つ互いに直交したＮs 本の搬送波を用いて時間間隔Ｔsy をシンボル周期としてディジタル変調された情報信号のシンボルに、Ｎf シンボル(Ｎf は２以上の正の整数)に１シンボルの割合で、Ｎs 本の搬送波の中の所定の１本の搬送波にしか信号成分を含まない信号からなる所定のシンボル(ＣＷシンボル)が挿入された信号を受信する受信装置であって、
局部発振信号により周波数変換して得られるベースバンドの直交周波数分割多重変調信号に現れる搬送波周波数のずれ量ΔＦＬを、該信号に挿入されているＣＷシンボル信号を離散フーリエ変換して得た複数の搬送波の複素ベクトル信号Ｚcw(ｎ)(ｎは分離した搬送波の番号)に基づいて算出する手段と、
この算出したずれ量ΔＦＬに基づいて前記局部発振信号の周波数を制御する手段を具備し、該ずれ量ΔＦＬが収斂して行く制御が得られるように構成したことを特徴とする直交周波数分割多重変調信号受信装置。
【請求項２】
前記搬送波周波数のずれ量ΔＦＬを算出するための手段が、第１の手段と第２の手段とで構成され、
前記第１の手段によるずれ量ΔＦＬの算出精度よりも、前記第２の手段によるずれ量ΔＦＬの算出精度が高くなるように構成され、
前記第１の手段に基づく局部発振信号の周波数の制御が実行された後に、前記第２の手段に基づく局部発振信号の周波数の制御が実行されることを特徴とする請求項１に記載の直交周波数分割多重変調信号受信装置。
【請求項３】
前記第１の手段が、前記周波数ｆs と、前記挿入されたＣＷシンボルの搬送波の番号ｎ０と、該ＣＷシンボル部分の複素ベクトル信号Ｚcw(ｎ)の絶対値レベルが最も大きく、且つ搬送波の番号が前記番号ｎ０に最も近い搬送波の番号ｎmax から、搬送波周波数のずれ量を算出することを特徴とする請求項２に記載の直交周波数分割多重変調信号受信装置。
【請求項４】
前記第１の手段が、前記周波数ｆs と、前記挿入されたＣＷシンボルの搬送波の番号ｎ０と、該ＣＷシンボル部分の複素ベクトル信号Ｚcw(ｎ)の絶対値レベルが最も大きく、且つ搬送波の番号が前記番号ｎ０に最も近い搬送波の番号ｎmax と、前記複素ベクトル信号Ｚcw(ｎmax)の絶対値レベルＲmax と、番号ｎmax の搬送波の両隣の搬送波の内、複素ベクトル信号の絶対値レベルが大きい方の搬送波の番号ｎnext と、該番号ｎnext の搬送波の複素ベクトル信号Ｚcw(ｎnext)の絶対値レベルＲnext から、搬送波周波数のずれ量を算出することを特徴とする請求項２に記載の直交周波数分割多重変調信号受信装置。
【請求項５】
前記第２の手段が、前記周波数ｆs と、前記挿入されたＣＷシンボルの搬送波の番号ｎ０と、該ＣＷシンボル部分の複素ベクトル信号Ｚcw(ｎ)の絶対値レベルが最も大きく、且つ搬送波の番号が前記番号ｎ０に最も近い搬送波の番号ｎmax と、前記複素ベクトル信号Ｚcw(ｎmax)と、該複素ベクトル信号Ｚcw(ｎmax)の絶対値レベルＲmax と、番号ｎmax の搬送波より周波数が低い隣の搬送波の複素ベクトル信号Ｚcw(ｎmax−１)の大きさと、番号ｎmax の搬送波より周波数が高い隣の搬送波の複素ベクトル信号Ｚcw(ｎmax＋１)の大きさから、搬送波周波数のずれ量を算出することを特徴とする請求項２に記載の直交周波数分割多重変調信号受信装置。
【手続補正３】
【補正対象書類名】明細書
【補正対象項目名】０００１
【補正方法】変更
【補正の内容】
【０００１】
【発明の属する技術分野】
本発明は、直交周波数分割多重変調信号を用いた伝送方式に係り、特に、受信した搬送波周波数のずれに自動的に復調動作が追従してゆくようにした直交周波数分割多重変調信号受信装置に関する。


【手続補正４】
【補正対象書類名】明細書
【補正対象項目名】００２５
【補正方法】変更
【補正の内容】
【００２５】
【課題を解決するための手段】
第１の本発明によれば、上記目的は、互いに等しい周波数ｆs、或いは周波数ｆs の整数倍の周波数の間隔を有し、且つ互いに直交したＮs 本の搬送波を用いて時間間隔Ｔsy をシンボル周期としてディジタル変調された情報信号のシンボルに、Ｎf シンボル(Ｎf は２以上の正の整数)に１シンボルの割合で、Ｎs 本の搬送波の中の所定の１本の搬送波にしか信号成分を含まない信号からなる所定のシンボル(ＣＷシンボル)が挿入された信号を受信する受信装置であって、局部発振信号により周波数変換して得られるベースバンドの直交周波数分割多重変調信号に現れる搬送波周波数のずれ量ΔＦＬを、該信号に挿入されているＣＷシンボル信号を離散フーリエ変換して得た複数の搬送波の複素ベクトル信号Ｚcw(ｎ)(ｎは分離した搬送波の番号)に基づいて算出する手段と、この算出したずれ量ΔＦＬに基づいて前記局部発振信号の周波数を制御する手段を具備し、該ずれ量ΔＦＬが収斂して行く制御が得られるようにして達成される。


【手続補正５】
【補正対象書類名】明細書
【補正対象項目名】００２６
【補正方法】変更
【補正の内容】
【００２６】
同じく、第２の本発明によれば、上記目的は、第１の発明において、前記搬送波周波数のずれ量ΔＦＬを算出するための手段が、第１の手段と第２の手段とで構成され、前記第１の手段によるずれ量ΔＦＬの算出精度よりも、前記第２の手段によるずれ量ΔＦＬの算出精度が高くなるように構成され、前記第１の手段に基づく局部発振信号の周波数の制御が実行された後に、前記第２の手段に基づく局部発振信号の周波数の制御が実行されるようにして達成される。


【手続補正６】
【補正対象書類名】明細書
【補正対象項目名】００２７
【補正方法】変更
【補正の内容】
【００２７】
同じく、第３の本発明によれば、上記目的は、第１の発明において、前記第１の手段が、前記周波数ｆs と、前記挿入されたＣＷシンボルの搬送波の番号ｎ０と、該ＣＷシンボル部分の複素ベクトル信号Ｚcw(ｎ)の絶対値レベルが最も大きく、且つ搬送波の番号が前記番号ｎ０に最も近い搬送波の番号ｎmax から、搬送波周波数のずれ量を算出する手段で構成されるようにして達成される。


【手続補正７】
【補正対象書類名】明細書
【補正対象項目名】００２８
【補正方法】変更
【補正の内容】
【００２８】
同じく、第３の本発明によれば、上記目的は、第１の発明において、前記第１の手段が、前記周波数ｆs と、前記挿入されたＣＷシンボルの搬送波の番号ｎ０と、該ＣＷシンボル部分の複素ベクトル信号Ｚcw(ｎ)の絶対値レベルが最も大きく、且つ搬送波の番号が前記番号ｎ０に最も近い搬送波の番号ｎmax と、前記複素ベクトル信号Ｚcw(ｎmax)の絶対値レベルＲmax と、番号ｎmax の搬送波の両隣の搬送波の内、複素ベクトル信号の絶対値レベルが大きい方の搬送波の番号ｎnext と、該番号ｎnext の搬送波の複素ベクトル信号Ｚcw(ｎnext)の絶対値レベルＲnext から、搬送波周波数のずれ量を算出する手段で構成されるようにして達成される。


【手続補正８】
【補正対象書類名】明細書
【補正対象項目名】００２９
【補正方法】変更
【補正の内容】
【００２９】
同じく、第３の本発明によれば、上記目的は、第１の発明において、前記第２の手段が、前記周波数ｆs と、前記挿入されたＣＷシンボルの搬送波の番号ｎ０と、該ＣＷシンボル部分の複素ベクトル信号Ｚcw(ｎ)の絶対値レベルが最も大きく、且つ搬送波の番号が前記番号ｎ０に最も近い搬送波の番号ｎmax と、前記複素ベクトル信号Ｚcw(ｎmax)と、該複素ベクトル信号Ｚcw(ｎmax)の絶対値レベルＲmax と、番号ｎmax の搬送波より周波数が低い隣の搬送波の複素ベクトル信号Ｚcw(ｎmax−１)の大きさと、番号ｎmax の搬送波より周波数が高い隣の搬送波の複素ベクトル信号Ｚcw(ｎmax＋１)の大きさから、搬送波周波数のずれ量を算出する手段で構成されるようにして達成される。